(57)【特許請求の範囲】
【請求項１】
カーソルキーを有する入力部と、複数の機能に対応するメニュー項目をメニュー画面に表示する表示部とを備えた携帯通信端末において、
前記入力部におけるカーソルキーによる機能選択操作を検出する検出手段と、
前記検出手段により検出された機能選択操作に応じて、選択中の機能と、非選択中の機能とを各々異なる大きさのアイコンとして前記表示部のメニュー画面に同時に表示する表示制御手段と、を備え、
前記表示制御手段は、
前記選択中の機能のアイコンを中央に配置し、前記非選択中の機能を前記選択中の機能のアイコンよりも小さなアイコンとして前記選択中の機能のアイコンの周囲に配置して、前記表示部のメニュー画面に同時に表示し、前記検出手段により検出された機能選択操作に応じて選択中の機能から非選択中の機能へ遷移する際に、当該機能選択操作が右方向カーソルキーの操作である場合は、当該遷移状態を示す右方向への回転表示のアニメーションを所定時間表示し、左方向カーソルキーの操作である場合は、当該遷移状態を示す左方向への回転表示のアニメーションを所定時間表示した後に選択された機能を中央に配置することを特徴とする携帯通信端末。
【請求項２】
前記表示制御手段は、
前記複数の機能の選択順を決定し、当該選択順に従って前記選択中の機能と、更にその次に選択可能な機能とを選択可能順の大きさのアイコンで前記表示部のメニュー画面に同時に表示することを特徴とする請求項１記載の携帯通信端末。
【請求項３】
前記表示制御手段は、
前記遷移状態を示すアニメーションを表示する際に、当該遷移前に選択中の機能の図形と、前記非選択中の機能の図形とを配置した複数種類の表示データを順次切り替えて表示することを特徴とする請求項１または２に記載の携帯通信端末。
【請求項４】
カーソルキーを有する入力部と、複数の機能に対応するメニュー項目をメニュー画面に表示する表示部とを備えた携帯通信端末を制御するためのコンピュータに、
前記入力部におけるカーソルキーによる機能選択操作を検出する検出機能と、
前記検出された機能選択操作に応じて、選択中の機能と、非選択中の機能とを各々異なる大きさのアイコンとして前記表示部のメニュー画面に同時に表示する表示制御機能と、を実現させ、
前記表示制御機能は、
前記選択中の機能のアイコンを中央に配置し、前記非選択中の機能を前記選択中の機能のアイコンよりも小さなアイコンとして前記選択中の機能のアイコンの周囲に配置して、前記表示部のメニュー画面に同時に表示し、前記検出機能により検出された機能選択操作に応じて選択中の機能から非選択中の機能へ遷移する際に、当該機能選択操作が右方向カーソルキーの操作である場合は、当該遷移状態を示す右方向への回転表示のアニメーションを所定時間表示し、左方向カーソルキーの操作である場合は、当該遷移状態を示す左方向への回転表示のアニメーションを所定時間表示した後に選択された機能を中央に配置することを実現させるためのプログラム。
【発明の詳細な説明】
【０００１】
【発明の属する技術分野】
本発明は、携帯通信端末、及びそのプログラムに関する。
【０００２】
【従来の技術】
近時、携帯電話機は、携帯電話機能の他にメール送受信機能やブラウザ機能等を内蔵し、多機能化が進んでいる。多機能化された携帯電話機は、その操作性を良くするため、表示部に表示する操作メニューを工夫をしたものが多く存在し、例えば、グラフィカルユーザーインターフェース（以下、ＧＵＩという）として図５に示すようにテキストやアイコンにより操作メニュー項目を配置したメニュー画面２００を採用したものがある。
【０００３】
図５に示すメニュー画面２００では、表示された９個のアイコン毎に操作メニュー項目の内容を表すイラストと、対応するテンキー（１〜９）とが割り当てられた例を示している。このメニュー画面２００において、カーソルキーやテンキーの操作により１つのアイコンが選択されると、そのメニュー項目に対応する更に詳細な操作画面の表示に切り替えられる。また、９種類以上の機能に対応する他のメニュー項目が有る場合は、メニュー画面２００に表示中のメニュー項目全体を切り替える切換操作をすることにより、他のメニュー項目を選択することが可能である。
【０００４】
【発明が解決しようとする課題】
しかしながら、従来のＧＵＩとしてアイコン表示のメニュー画面を採用した携帯電話機にあっては、表示部の表示面積に制約があったため、全ての機能に対応する全てのアイコンを一度に表示することができず、メニュー項目全体の構成を把握し難いという問題があった。
また、ＧＵＩとしてアニメーション等のデザインに凝ったメニュー画面では、その表示切換に時間がかかり、制御系の処理負担も増大するという問題が発生していた。
【０００５】
本発明の課題は、携帯通信端末に表示するＧＵＩベースのメニュー画面において、メニュー項目の切り替え操作を容易にするとともに、メニュー構成の把握を容易にすることである。
【０００６】
【課題を解決するための手段】
上記課題を解決するため本発明は、
カーソルキーを有する入力部と、複数の機能に対応するメニュー項目をメニュー画面に表示する表示部とを備えた携帯通信端末において、
前記入力部におけるカーソルキーによる機能選択操作を検出する検出手段と、
前記検出手段により検出された機能選択操作に応じて、選択中の機能と、非選択中の機能とを各々異なる大きさのアイコンとして前記表示部のメニュー画面に同時に表示する表示制御手段と、を備え、
前記表示制御手段は、
前記選択中の機能のアイコンを中央に配置し、前記非選択中の機能を前記選択中の機能のアイコンよりも小さなアイコンとして前記選択中の機能のアイコンの周囲に配置して、前記表示部のメニュー画面に同時に表示し、前記検出機能により検出された機能選択操作に応じて選択中の機能から非選択中の機能へ遷移する際に、当該機能選択操作が右方向カーソルキーの操作である場合は、当該遷移状態を示す右方向への回転表示のアニメーションを所定時間表示し、左方向カーソルキーの操作である場合は、当該遷移状態を示す左方向への回転表示のアニメーションを所定時間表示した後に選択された機能を中央に配置することを特徴としている。
【０００７】
更に本発明は、
前記表示制御手段は、
前記複数の機能の選択順を決定し、当該選択順に従って前記選択中の機能と、更にその次に選択可能な機能とを選択可能順の大きさのアイコンで前記表示部のメニュー画面に同時に表示することが好ましい。
【０００８】
更に本発明は、
前記表示制御手段は、
前記遷移状態を示すアニメーションを表示する際に、当該遷移前に選択中の機能の図形と、前記非選択中の機能の図形とを配置した複数種類の表示データを順次切り替えて表示することが好ましい。
【００１３】
また、本発明は、
カーソルキーを有する入力部と、複数の機能に対応するメニュー項目をメニュー画面に表示する表示部とを備えた携帯通信端末を制御するためのコンピュータに、
前記入力部におけるカーソルキーによる機能選択操作を検出する検出機能と、
前記検出された機能選択操作に応じて、選択中の機能と、非選択中の機能とを各々異なる大きさのアイコンとして前記表示部のメニュー画面に同時に表示する表示制御機能と、を実現させ、
前記表示制御機能は、
前記選択中の機能のアイコンを中央に配置し、前記非選択中の機能を前記選択中の機能のアイコンよりも小さなアイコンとして前記選択中の機能のアイコンの周囲に配置して、前記表示部のメニュー画面に同時に表示し、前記検出機能により検出された機能選択操作に応じて選択中の機能から非選択中の機能へ遷移する際に、当該機能選択操作が右方向カーソルキーの操作である場合は、当該遷移状態を示す右方向への回転表示のアニメーションを所定時間表示し、左方向カーソルキーの操作である場合は、当該遷移状態を示す左方向への回転表示のアニメーションを所定時間表示した後に選択された機能を中央に配置することを実現させるためのプログラムであることを特徴とする。
【００１４】
【発明の実施の形態】
以下、図を参照して本発明の実施の形態を詳細に説明する。
図１〜図４は、本発明を適用した一実施の形態の携帯電話機１を示す図である。
まず、構成を説明する。
図１は、本実施の形態における携帯電話機１の外観を示す図である。図１において、携帯電話機１は、ディスプレイ部２とキー入力部３とで構成され、その中央部に設けられた図示しない連結機構により、ディスプレイ部２とキー入力部３が折り畳みできるように構成されている。また、携帯電話機１は、携帯電話方式としてＰＤＣ（Personal Digital Cellular）方式、ＣＤＭＡ（Code Division Multiple Access）方式、ＰＨＳ（Personal Handyphone System）方式等を利用するものであり、携帯電話方式を特に限定するものではない。
【００１５】
図１において、ディスプレイ部２は、受話スピーカー２１とＬＣＤ（Liquid Crystal Display）等により構成された表示部２２とを備える。キー入力部３は、テンキー群３１、電源／オンフックキー３２、オフフックキー３３、カーソルキー３４、ソフトキーＳ１，Ｓ２、メニューキーＭ、クリアキーＣ、及びマイク３５を備える。
【００１６】
ディスプレイ部２の受話スピーカー２１は受話音声を出力し、表示部２２は携帯電話機１としての電話画面、メール入力画面、辞書登録画面等をキー入力部３からの入力指示に応じて表示するとともに、その各画面においてキー入力中の情報を表示する。
【００１７】
キー入力部３において、テンキー群３１は電話番号と文字列（かな文字、カタカナ、英文字、絵文字等）を入力し、電源／オンフックキー３２は携帯電話機１の電源オン／オフと通話終了を入力し、オフフックキー３３は通話開始を入力し、カーソルキー３４は電話画面、メール入力画面、辞書登録画面等において入力位置の移動等を入力し、ソフトキーＳ１，Ｓ２は電話画面、メール入力画面、辞書登録画面等において予め割り当てられたソフト機能を入力し、メニューキーＭは電話モード、メール入力モード、辞書登録モード等の予め設定されたメニューを移動するときに入力し、クリアキーＣは電話画面、メール入力画面、辞書登録画面等において入力指示を取り消す際に入力する。マイク３５は、送話音声を入力する。
【００１８】
図２は、図１の携帯電話機１内部の機能構成を示すブロック図であり、図１に示した構成と同一の構成部分には同一符号を付している。図２において、携帯電話機１は、アンテナ１１、ＲＦ回路１２、モデム１３、ＣＰＵ１４、ＲＡＭ１５、ＲＯＭ１６、入力部１７、受話スピーカー２１、表示部２２、及びマイク３５により構成されている。
【００１９】
アンテナ１１は、ＲＦ回路１２の制御により上記携帯電話方式に応じて設置された無線基地局（図示せず）との間で無線通信信号を送受信する。
【００２０】
ＲＦ回路１２は、ベースバンド回路等を内蔵し、アンテナ１１を介して受信した信号を増幅および周波数変換して復調し、その復調信号をモデム１３に出力し、モデム１３から入力された音声やデータの信号を変調し、その変調信号を周波数変換および増幅を行ってアンテナ１１を介して送信する。
【００２１】
モデム（ＭＯＤＥＭ：MOdulator/DEModulator ）１３は、ＲＦ部１２から入力された復調信号から通信制御信号を抽出してＣＰＵ１４に出力するとともに、ＣＰＵ１４から入力される通信制御信号をＲＦ部１２に出力して、携帯電話機１と無線基地局との間の通信手順を制御する。
【００２２】
ＣＰＵ（Central Processing Unit ）１４は、ＲＯＭ１６に記憶された制御プログラムに基づいて、接続された各部を制御して携帯電話機１に備えられた各種機能（携帯電話機能、メール送受信機能、メール文章作成機能、辞書登録機能等）を発揮させる。すなわち、ＣＰＵ１４は、入力部１７からの各種キー入力指示に応じて、ＲＯＭ１６から対応する制御プログラムを読み出してＲＡＭ１５のワークエリアに展開して実行し、接続された各部を制御して各種機能（携帯電話機能、メール送受信機能、メール文章作成機能、辞書登録機能等）を発揮させる。
【００２３】
また、ＣＰＵ１４は、後述するメニュー表示制御処理（図３参照）を実行し、まず、電源オン直後に基本メニュー画面を表示した状態で、キー入力部３のカーソルキー３４の操作、及びテンキー群３１の操作を監視し、右方向カーソルキーあるいは左方向カーソルキーが操作されると、ＲＯＭ１６に記憶されたアニメーション画面データを読み出して、右方向あるいは左方向に回転する簡易アニメーションを表示した後、右方向あるいは左方向に配置されたアイコンメニュー表示に切り替える。また、テンキー群３１が操作されると、そのテンキーに割り当てられた表示に直ちに切り替える。
【００２４】
ＲＡＭ（Random Access Memory）１５は、ＣＰＵ１４がＲＯＭ１６から読み出して実行する制御プログラムや処理中のデータ等を展開するためのワークエリアを形成する。ＲＯＭ（Read Only Memory）１６は、フラッシュＲＯＭ等により構成され、ＣＰＵ１４が実行する各種制御プログラムや上記メニュー表示制御プログラム、及びメニュー表示制御用のメニュー画面データやアニメーション画面データを記憶する。
【００２５】
このメニュー画面データやアニメーション画面データとしては、図４に示すような電話機能選択中の基本メニュー画面２２１、録音機能選択中の基本メニュー画面２２６、選択機能の遷移状態を示す４枚構成のアニメーション画面データ２２２〜２２５を記憶するとともに、基本メニュー画面２２１、２２６中に各々示すバーメニュー表示データも記憶する。また、各アニメーション画面データ２２２〜２２５は、基本メニュー画面２２１、２２６中に配置された大、中、小の各円形のメニューアイコンを模した大、中、小の各円形図形のみを配置した画面データであり、メニュー内容が書かれていないものとなっている。
また、図４では、図示しないが、他の選択可能な機能として、カメラ機能選択中の基本メニュー画面、ＴＯＯＬ機能選択中の基本メニュー画面の各画面データ及びバーメニュー表示データも同様に記憶する。
【００２６】
入力部１７は、図１に示したテンキー群３１、電源／オンフックキー３２、オフフックキー３３、カーソルキー３４、ソフトキーＳ１，Ｓ２、メニューキーＭ、及びクリアキーＣを備え、その各キー入力操作に応じた入力信号をＣＰＵ１４に出力する。
【００２７】
受話スピーカー２１は、ＣＰＵ１４から入力される受話音声信号を受話音声に変換して出力する。表示部２２は、ＣＰＵ１４から入力される表示制御信号により表示制御され、電話画面、文章入力画面、辞書登録画面等を表示するとともに、その各入力画面においてキー入力中の各種情報を表示する。マイク３５は、ユーザーの送話音声を送話音声信号に変換してＣＰＵ１４に出力する。
【００２８】
次に、本実施の形態の動作を説明する。
図２のＣＰＵ１４により実行されるメニュー表示制御処理について図３に示すフローチャート、及び図４に示すメニュー画面遷移図を参照して説明する。
【００２９】
図３において、ＣＰＵ１４は、携帯電話機１の電源がオンされた直後に、ＲＯＭ１６に記憶された基本メニュー画面データを読み出して、表示部２２に、例えば、図４に示すような基本メニュー画面２２１を表示するものとする。
この基本メニュー画面２２１では、画面中央に現在選択されている機能が基本の電話機能（図中中央の大型の円形アイコン）であることを示すととともに、その周囲には、左右方向カーソルキー操作により選択可能な２つの機能として、録音機能（図中の各中型の円形アイコン）及びＴＯＯＬ機能（図中の各小型の円形アイコン）が、交互に３つずつ配置されていることを示している。これらのアイコン配置は、選択中の電話機能の次に選択可能な機能が中型の円形アイコンの録音機能、その次の次に選択可能な機能が小型の円形アイコンのＴＯＯＬ機能であることを示している。
更に、基本メニュー画面２２１の下辺部には、選択可能な全機能を示すため、バー状に全メニュー項目を示す４つのメニューアイコン（左端から順に、電話機能、録音機能、カメラ機能、ＴＯＯＬ機能）が表示されており、これら各メニューアイコンには、テンキー操作により直接選択可能にする数値が割り当てられているものとする。この場合、左端に位置する電話機能のメニューアイコンが選択状態（押下された状態）として表示されている。
【００３０】
次いで、ＣＰＵ１４は、キー入力部３のカーソルキー３４の操作、及びテンキー群３１の操作を監視し、まず、カーソルキー３４の右方向カーソルキーが押下されたか否かを検出する（ステップＳ２、Ｓ５、Ｓ８）。右方向カーソルキーが押下されたことを検出すると（ステップＳ２：Ｙ）、ＣＰＵ１４は、一旦、基本メニュー画面２２１を消してから、ＲＯＭ１６から右方向アニメーション画面データとして、例えば、図４に示すアニメーション画面データ２２２→２２３→２２４→２２５を１８０ｍｓ毎に順次読み出して、表示部２２に順次表示して、メニューアイコンを模した複数の大きさの円形図形が右方向に回転して見えるように表示している（ステップＳ３）。
【００３１】
このメニューアイコンを回転させたアニメーション画面表示が終了すると、ＣＰＵ１４は、基本メニュー画面２２１において電話機能メニューアイコンより右方向に位置する録音機能メニューアイコンに遷移した基本メニュー画面を表示するため、アニメーション画面２２５を消してから、ＲＯＭ１６から録音機能選択画面データを読み出して、例えば、図４に示す録音機能選択画面２２６を表示する（ステップＳ４）。この録音機能選択画面２２６では、バーメニューのメニューアイコンは、電話機能から右に遷移して録音機能のメニューアイコンが選択された状態で再表示される。
【００３２】
この録音機能選択画面２２６では、画面中央に現在選択されている録音機能（図中中央の大型の円形アイコン）であることを示すととともに、その周囲には、左右方向カーソルキー操作により選択可能な２つの機能として、電話機能（図中の各小型の円形アイコン）及びカメラ機能（図中の各中型の円形アイコン）が、交互に３つずつ配置されていることを示している。
これらのアイコン配置は、選択中の録音機能の次に選択可能な機能が中型の円形アイコンのカメラ機能、その次の次に選択可能な機能が小型の円形アイコンの電話機能であることを示している。
更に、録音機能選択画面２２６の下辺部には、選択可能な全機能を示すため、バー状に全メニュー項目を示す４つのメニューアイコンが表示されており、左端より２番目に位置する録音機能のメニューアイコンが選択状態（押下された状態）として表示されている。
【００３３】
また、録音機能選択画面２２６において、左方向カーソルキーが押下されたことを検出すると（ステップＳ５：Ｙ）、ＣＰＵ１４は、ＲＯＭ１６から左方向アニメーション画面データとして、上記右方向アニメーションとは逆順に、図４に示すアニメーション画面データ２２５→２２４→２２３→２２２を１８０ｍｓ毎に順次読み出して、表示部２２に順次表示して、メニュー項目を模した複数の円形図形が左方向に回転して見えるように表示している（ステップＳ６）。
【００３４】
このアニメーション画面表示の終了後、ＣＰＵ１４は、基本メニュー画面２２１において録音機能メニューアイコンより左方向に位置する電話機能メニューアイコンを表示するため、ＲＯＭ１６から基本メニュー画面データを読み出して、例えば、図４に示す基本メニュー画面２２１を表示する（ステップＳ７）。
【００３５】
また、基本メニュー画面２２１、あるいは録音機能選択画面２２６において、テンキー群３１のテンキー操作を検出すると（ステップＳ８：Ｙ）、ＣＰＵ１４は、基本メニュー表示を終了し、ＲＯＭ１６から対応するメニューアイコンの機能画面データを読み出して、テンキーに対応する機能画面の中に直接遷移して表示する（ステップＳ９）。
【００３６】
また、ＣＰＵ１４は、ステップＳ４、Ｓ７、Ｓ９において各メニュー画面を表示した後は、キー入力部３のカーソルキー３４の操作、及びテンキー群３１の操作の監視に戻る。また、ＣＰＵ１４は、キー操作の監視状態において、左右方向カーソルキーあるいはメニューアイコンに割り当てられた数値のテンキー以外のキー操作を検出した場合（ステップＳ８：Ｎ）、そのキー操作内容に応じた他の処理に移行する。
【００３７】
以上の動作説明では、基本メニュー画面２２１と録音機能選択画面２２６との間を左右方向カーソルキーのキー操作により簡易アニメーションを表示して遷移する場合を説明したが、その他の機能であるＴＯＯＬ機能、録音機能、及びカメラ機能相互間を左右方向カーソルキーのキー操作により遷移する場合も、同様に簡易アニメーション表示後に機能選択画面が表示される。
【００３８】
以上のように、本実施の形態の携帯電話機１では、メニューアイコンを表示して機能を選択させるメニュー表示制御処理において、選択中の機能と、その前後に位置する選択可能な機能と、全体のメニュー構成とが容易に把握できるメニュー画面を表示し、左右方向カーソルキーの簡単な操作により選択機能のメニュー画面が切り替え表示されるため、ユーザーは、全体のメニュー構成を把握しながら容易に選択機能の変更操作を行うことができる。
【００３９】
したがって、携帯電話機等の携帯通信端末に表示するＧＵＩベースのメニュー画面において、メニュー項目の切り替え操作を容易にできるとともに、メニュー構成の把握を容易にすることができる。
【００４０】
また、上記実施の形態では、基本メニュー画面内において、選択中の機能を中央に大型の円形アイコンで表示し、その前後に位置する次に選択可能な機能を中型の円形アイコンで表示し、その次の次に選択可能な機能を小型の円形アイコンで表示するようにし、左右方向カーソルキーの操作と対応づけて機能選択画面の切り替えを可能にしたため、ユーザーは、左右方向カーソルキーを何回押下すれば、目的の機能を選択できるかを容易に把握することができる。
【００４１】
さらに、上記実施の形態では、メニュー画面内において、メニューアイコン毎に数値を割り当てテンキー操作と対応づけて機能画面の直接切り替えを可能にしたため、ユーザーは、簡易アニメーション表示を待つことなく目的の機能画面に直接遷移することもできる。このため、ユーザーは、テンキーを押下すれば目的の機能を直接選択できることを容易に把握することができる。
【００４２】
また、上記実施の形態では、メニュー画面を切り替える際に、４枚から構成されたアニメーション画面データを順次表示させることにより、その切り替え過程をアニメーションとして表示したため、比較的少ない画面データでも簡易アニメーションを表示でき、携帯電話機のような搭載するメモリ容量が比較的に少ない電子機器においても、バリエーションに富むメニュー画面表示を容易に実現できる。
【００４３】
さらに、４枚から構成されたアニメーション画面データは、メニューアイコンを模した大、中、小の各円形アイコンを配置して遷移状態を示し、メニュー項目を表すテキストデータやバーメニュー等のデータを排除した。このため、どの機能選択から遷移する場合も、メニューアイコンの１つ１つに全てに遷移用のアニメーション画像データを用意する必要が無く、４枚から構成されたアニメーション画面画面データだけで遷移状態を簡易アニメーション表示させることができ、その表示処理を簡易化できる。
【００４４】
また、本実施の形態では、全てのメニューアイコンを円形の大、中、小で統一させたため、機能の遷移中を示す画面は、外形の円形のみを用いた絵で構成しても違和感無く簡易アニメーション表示することが可能になった。また、簡易アニメーション表示中は、バーメニュー表示及びメニューアイコンの内容を消すようにしたため、更に簡易アニメーション表示時の処理負担を軽減できた。
【００４５】
また、上記実施の形態では、基本メニュー画面として電話機能を選択中の基本メニュー画面２２１と、録音機能選択中の基本メニュー画面２２６との間を遷移する場合を示したが、その他の機能であるカメラ機能選択中の基本メニュー画面、及びＴＯＯＬ機能選択中の基本メニュー画面との間を遷移する場合も、図３に示したメニュー表示制御処理により表示制御され、図４に示した簡易アニメーション画面が表示される。
【００４６】
なお、図４に示したアニメーション画面の表示例は、その画面データの構成や表示形態を特に限定するものではなく、携帯電話機が搭載するメモリ容量や表示部の表示性能等に対応させて適宜変更可能である。
上記実施の形態では、カーソルキー３４の左右方向の１回操作毎に、簡易アニメーション表示して機能がゆっくり遷移する場合を示したが、例えば、カーソルキー３４の左右方向の長押し操作に応じて、図４の基本メニュー画面２２１から基本メニュー画面２２６に直接切り替えて表示するようにすれば、機能選択画面を高速で切り替えて表示するように見せることも可能である。これは、本実施の形態の携帯電話機が、基本メニュー画面データとアニメーション画面データとを別の表示データとして記憶しているからこそ実現できるメニュー表示機能である。
【００４７】
【発明の効果】
本発明のによれば、携帯電話機等の携帯通信端末に表示するＧＵＩベースのメニュー画面において、メニュー項目の切り替え操作を容易にできるとともに、メニュー構成の把握を容易にすることができる。
【図面の簡単な説明】
【図１】本発明を適用した一実施の形態における携帯電話機１の外観を示す図である。
【図２】図２は、図１の携帯電話機１内部の機能構成を示すブロック図である。
【図３】図２のＣＰＵ１４により実行されるメニュー表示制御処理を示すフローチャートである。
【図４】図３のメニュー表示制御処理において切り替え表示されるメニュー画面の遷移状態の一例を示す図である。
【図５】従来の携帯電話機に表示されたメニュー画面の一例を示す図である。
【符号の説明】
１    携帯電話機
２    ディスプレイ部
３    キー入力部
１１    アンテナ
１２    ＲＦ回路
１３    モデム
１４    ＣＰＵ
１５    ＲＡＭ
１６    ＲＯＭ
１７    入力部
２１    受話スピーカー
２２    表示部
３１    テンキー群
３２    電源／オンフックキー
３３    オフフックキー
３４    カーソルキー
３５    マイク
Ｃ    クリアキー
Ｍ    メニューキー
Ｓ１，Ｓ２  ソフトキー
【図１】
0003887567.tif 000002
【図２】
0003887567.tif 000003
【図３】
0003887567.tif 000004
【図４】
0003887567.tif 000005
【図５】
0003887567.tif 000006